(57)【要約】【課題】データセルが低レートで、データセル以外の帯域に空きセルが多く挿入された場合においてもＨＥＣ誤りによる故障検出の精度を向上させ、また、従来技術のＨＥＣ誤り検出部を使用して回路構成が複雑にならない通信装置内の主信号処理回路の自己監視装置を得ることを目的とする。【解決手段】本発明に係る通信装置の自己監視装置は、通信装置内の主信号処理回路１から出力された主信号セルのＨＥＣ誤りを検出するＨＥＣ誤り検出部３と、主信号処理回路１から出力された主信号セルの空きセルを検出する空きセル検出部５と、ＨＥＣ誤り検出部３および空きセル検出部５の出力を受け、空きセルを対象外として主信号セルから連続して検出されたＨＥＣ誤りをカウントするＨＥＣ誤り連続発生数カウンタ４と、ＨＥＣ誤り連続発生数カウンタ４のカウント値が所定回数に達したときに故障を判定する故障判定部６ａとを備える。【選択図】図１
2008109249.tif 000002
【特許請求の範囲】
【請求項１】
通信装置内の主信号処理回路から出力された主信号セルのＨＥＣ誤りを検出するＨＥＣ誤り検出部と、
前記主信号処理回路から出力された主信号セルの空きセルを検出する空きセル検出部と、
前記ＨＥＣ誤り検出部の出力および前記空きセル検出部の出力を受け、空きセルを対象外として主信号セルから所定回数連続して検出されたＨＥＣ誤りを用いて故障を判定する第１の故障判定手段と、を備える通信装置の自己監視装置。
【請求項２】
前記第１の故障判定手段は、
前記ＨＥＣ誤り検出部の出力および前記空きセル検出部の出力を受け、空きセルを対象外として主信号セルから連続して検出されたＨＥＣ誤り発生数をカウントするＨＥＣ誤り連続発生数カウンタと、
前記ＨＥＣ誤り連続発生数カウンタの出力を受け、前記ＨＥＣ誤り連続発生数カウンタでカウントされたＨＥＣ誤りが前記所定回数に達したときに故障を判定する第１の故障判定部と、を備える請求項１記載の通信装置の自己監視装置。
【請求項３】
通信装置内の主信号処理回路から出力された主信号セルのＨＥＣ誤りを検出するＨＥＣ誤り検出部と、
前記主信号処理回路から出力された主信号セルが所定数に達したことを検出するセル数検出手段と、
前記ＨＥＣ誤り検出部の出力および前記セル数検出手段の出力を受け、前記所定数の主信号セル中に含まれるＨＥＣ誤り検出数から故障を判定する第２の故障判定手段と、を備える通信装置の自己監視装置。
【請求項４】
前記セル数検出手段は、
前記主信号処理回路から出力された主信号セル数をカウントするセル数カウンタからなり、
前記第２の故障判定手段は、
前記ＨＥＣ誤り検出部の出力および前記セル数カウンタの出力を受け、前記所定数の主信号セル中に含まれるＨＥＣ誤り発生数をカウントするＨＥＣ誤り発生数カウンタと、
前記ＨＥＣ誤り発生数カウンタの出力を受け、前記ＨＥＣ誤り発生数カウンタの値がしきい値以上になったときに故障を判定する第２の故障判定部と、を備える請求項３記載の通信装置の自己監視装置。
【請求項５】
前記主信号セルの空きセルを検出する空きセル検出部をさらに備え、
前記空きセル検出部の出力は前記セル数カウンタおよび前記ＨＥＣ誤り発生数カウンタに与えられ、前記セル数カウンタおよび前記ＨＥＣ誤り発生数カウンタが空きセルをカウント対象外とすることを特徴とする請求項４記載の通信装置の自己監視装置。
【発明の詳細な説明】
【技術分野】
【０００１】
本発明は、通信装置内の主信号処理回路に発生する故障を検出する通信装置の自己監視装置に関するものである。
【背景技術】
【０００２】
従来技術における通信装置内のＨＥＣ誤り検出を用いた自己監視装置の構成は、ＨＥＣ（Header Error Control）誤り検出部とＨＥＣ誤り連続発生数カウンタと故障判定部とからなる。通信装置内の主信号処理回路が故障した場合は、主信号処理回路を通過する固定長セルがＨＥＣ誤り検出部でＨＥＣ誤りが検出され、ＨＥＣ誤り連続発生数カウンタがカウントアップされ、ＨＥＣ誤りが連続してｎ回（所定回数）発生した場合に故障判定回路が回路故障と判定することにより、主信号処理回路の故障自己監視を行うことができる。
【０００３】
また、ＨＥＣ誤り検出を用いない自己監視装置は、例えば下記特許文献１に示されている。
【０００４】
特許文献１で示される通信装置内の自己監視装置は、被監視回路である演算回路の前段に監視セル印加部と、後段に監視セル終端部を設け、監視結果の期待値を作成する監視結果期待値発生部と、演算回路の動作に影響を及ぼさないセルを検索するコネクション監視部と、監視セル発生部と、監視結果比較照合部とで構成される。
【０００５】
本装置の故障監視動作について説明する。まず、主信号セルの中にあって制御セルや空きセルのように演算回路の動作に影響を及ぼさないセルのＶＰＩ（Virtual Path Identifer）とＶＣＩ（Virtual Channel Identifer）の組み合わせをコネクション監視部で検索する。次に検索した結果を用い、監視セル期待値発生部で作成した監視期待値に基づいて監視セル発生部でそのＶＰＩとＶＣＩの組み合わせを持つ監視セルを発生し、指定した任意の時刻に監視セル印加部により主信号セル流上にセルを上書きし、演算回路内に擬似的にそのコネクションを設定した状態を作る。演算回路は監視セルを通常のコネクションのセルと同様に処理し、その結果得られた出力と監視期待値とを監視結果比較照合部にて比較照合することにより演算回路の故障自己監視を行うことができる。
【０００６】
【特許文献１】特開平９−２１４５１１号公報
【発明の開示】
【発明が解決しようとする課題】
【０００７】
しかしながら、従来技術におけるＨＥＣ機能を用いた通信装置内の自己監視装置においては、ＨＥＣ誤りを複数回連続して検出した場合に回路故障と判定するように構成されているので、データレートが低レートの場合には、データセル以外の帯域にデータ変化点が少ない空きセルが多く挿入され、ＨＥＣ誤りが検出されにくくなるため、主信号セルのＨＥＣ誤りが連続で検出されにくくなり、装置内主信号処理回路の故障の検出精度が低下するという課題があった。
【０００８】
また、特許文献１に示されている通信装置内の自己監視装置においては、監視セルを生成、監視する回路を新たに追加する必要があり回路構成が複雑になる。また、空きセルの少ない通信状態においては、監視セルの挿入数が少なくなるという課題があった。
【０００９】
本発明は、このような課題を解決するためになされたものであり、従来技術のＨＥＣ誤り検出部はそのまま使用して回路構成が複雑にならないことを目的とし、また、データセルが低レートで、データセル以外の帯域に空きセルが多く挿入された場合においても、主信号処理回路の故障検出の精度を向上させることを目的とする。
【課題を解決するための手段】
【００１０】
本発明の一の態様におけるＨＥＣ誤り連続発生数を用いた通信装置の自己監視装置は、通信装置内の主信号処理回路から出力された主信号セルのＨＥＣ誤りを検出するＨＥＣ誤り検出部と、主信号処理回路から出力された主信号セルの空きセルを検出する空きセル検出部と、ＨＥＣ誤り検出部の出力および空きセル検出部の出力を受け、空きセルを対象外として主信号セルから所定回数連続して検出されたＨＥＣ誤りを用いて故障を判定する第１の故障判定手段とを備える。
【００１１】
本発明の他の態様におけるＨＥＣ誤り発生率を用いた通信装置の自己監視装置は、通信装置内の主信号処理回路から出力された主信号セルのＨＥＣ誤りを検出するＨＥＣ誤り検出部と、主信号処理回路から出力された主信号セルが所定数に達したことを検出するセル数検出手段と、ＨＥＣ誤り検出部の出力およびセル数検出手段の出力を受け、所定数の主信号セル中に含まれるＨＥＣ誤り検出数から故障を判定する第２の故障判定手段とを備える。
【発明の効果】
【００１２】
請求項１に記載のように、本発明の通信装置内の主信号処理回路の自己監視装置によれば、ＨＥＣ誤り連続検出の対象から空きセルを除外し、データセルのみをＨＥＣ誤り連続検出の対象とする機能を備えるため、データレートが低レートの場合においてもデータ変化点の少ない空きセルの影響を受けず、主信号処理回路の故障の検出精度を向上させることができる。また、従来のＨＥＣ誤り検出部はそのまま利用するため、複雑な回路構成にならない。
【発明を実施するための最良の形態】
【００１３】
［実施の形態１］
図１は、本発明の実施の形態１にかかる通信装置内の主信号処理回路１の自己監視装置を示す図である。
【００１４】
図１を参照して、本発明の実施の形態１の構成について説明する。
【００１５】
通信装置内の自己監視部２は、被監視回路である主信号処理回路１の後段に設けられ、主信号処理回路１の故障を監視する機能を有する。自己監視部２の内部には、ＨＥＣ誤り検出部３と、空きセル検出部５と、第１の故障判定手段１０とを備える。
【００１６】
次に、各部の動作について説明する。
【００１７】
主信号処理回路１を通過した主信号セルはＨＥＣ誤りを検出するＨＥＣ誤り検出部３と、空きセルを検出する空きセル検出部５に出力される。ＨＥＣ誤り検出部３の出力および空きセル検出部５の出力は第１の故障判定手段１０に送られ、空きセルを対象外として主信号セルから検出されたＨＥＣ誤りを用いて故障を判定する。
【００１８】
ここで、第１の故障判定手段１０は、ＨＥＣ誤り連続発生数カウンタ４と故障判定部６ａとからなり、ＨＥＣ誤り連続発生数カウンタ４はＨＥＣ誤り検出部３の出力および空きセル検出部５の出力を受け、空きセルを対象外として主信号セルから連続して検出されたＨＥＣ誤り発生数をカウントする。
【００１９】
故障判定部６ａはＨＥＣ誤り連続発生数カウンタ４の出力を受け、ＨＥＣ誤り連続発生数カウンタ４でカウントされたＨＥＣ誤りが所定回数に達したときに故障を判定して故障通知を出力する。
【００２０】
次に、主信号処理回路１が正常な場合の動作について説明する。
【００２１】
主信号処理回路１が正常な場合、主信号処理回路１から出力された主信号セルはＨＥＣ誤り検出部３でＨＥＣ誤りが検出されないため、ＨＥＣ誤り連続発生カウンタ４もカウントアップされず、故障判定部６ａからは故障通知は発出されない。
【００２２】
次に、主信号処理回路１が故障している場合の動作について説明する。
【００２３】
主信号処理回路１が故障している場合、主信号処理回路１から出力された主信号セルはＨＥＣ誤り検出部３でＨＥＣ誤りが検出され、ＨＥＣ誤り連続発生数カウンタ４に出力される。また、主信号セル中に含まれる空きセルは空きセル検出部５で検出され、ＨＥＣ誤り連続発生数カウンタ４に出力される。
【００２４】
ＨＥＣ誤り連続発生数カウンタ４は、上記の出力を受けて空きセルをカウント対象外としてＨＥＣ誤りをカウントアップし、故障判定部６ａに出力する。
【００２５】
故障判定部６ａは、ＨＥＣ誤りが連続ｎ回（所定回数）発生した場合に故障と判定し故障通知を発出する。また、連続ｎ回発生しなかった場合には、ＨＥＣ誤り連続発生カウンタ４はリセットされ、故障判定部６ａからは故障通知が発出されない。
【００２６】
本実施の形態では、従来のＨＥＣ誤り検出部３はそのまま使用し、新たに空きセル検出部５を設けて自己監視装置としているため、複雑な回路構成にならない。
【００２７】
また、新たに空きセル検出部５を設けたことによって、主信号セル中に含まれる空きセルをカウント対象外として動作し、データセルのみをＨＥＣ誤り連続検出の対象とすることができ、データレートが低レートの場合に挿入されたデータ変化点の少ない空きセルの影響を受けないため、ＨＥＣ誤りの連続検出による故障検出の精度が向上する。
【００２８】
［実施の形態２］
図２は、本発明の実施の形態２にかかる通信装置内の主信号処理回路１の自己監視装置を示す図である。
【００２９】
図２を参照して、本発明の実施の形態２の構成について説明する。
【００３０】
通信装置内の自己監視部２は、被監視回路である主信号処理回路１の後段に設けられ、主信号処理回路１の故障を監視する機能を有する。自己監視部２の内部には、ＨＥＣ誤り検出部３と、セル数検出手段１１と、第２の故障判定手段１２とを備える。
【００３１】
次に、各部の動作について説明する。
【００３２】
主信号処理回路１を通過した主信号セルはＨＥＣ誤りを検出するＨＥＣ誤り検出部３と、主信号セルが所定数に達したことを検出するセル数検出手段１１に出力される。ＨＥＣ誤り検出部３の出力およびセル数検出手段１１の出力は第２の故障判定手段１２に送られ、所定数の主信号セル中に含まれるＨＥＣ誤り検出から故障を判定する。
【００３３】
ここで、セル数検出手段１１は、主信号処理回路１から出力された主信号セル数をカウントして所定数に達したことを検出するセル数カウンタ８ａからなる。
【００３４】
また、第２の故障判定手段１２は、ＨＥＣ誤り発生数カウンタ７ａと故障判定部６ｂとからなり、ＨＥＣ誤り発生数カウンタ７ａはＨＥＣ誤り検出部３の出力およびセル数カウンタ８ａの出力を受け、所定数の主信号セル中に含まれるＨＥＣ誤り発生数をカウントする。
【００３５】
故障判定部６ｂはＨＥＣ誤り発生数カウンタ７ａの出力を受け、ＨＥＣ誤り発生数カウンタ７ａの値がしきい値以上になったときに故障を判定して故障通知を出力する。
【００３６】
次に、主信号処理回路１が正常な場合の動作について説明する。
【００３７】
主信号処理回路１が正常な場合、主信号処理回路１から出力された主信号セルはＨＥＣ誤り検出部３でＨＥＣ誤りが検出されないため、ＨＥＣ誤り発生数カウンタ７ａもカウントアップされず、故障判定部６ｂからは故障通知は発出されない。
【００３８】
次に、主信号処理回路１が故障している場合の動作について説明する。
【００３９】
主信号処理回路１が故障している場合、主信号処理回路１から出力された主信号セルはＨＥＣ誤り検出部３でＨＥＣ誤りが検出され、ＨＥＣ誤り発生数カウンタ７ａに出力される。また、セル数カウンタ８ａでは自己監視部２を通過する空きセルを含めた全体の通過セル数がカウントされ、ｋ回（所定数）カウントする毎にＨＥＣ誤り発生数カウンタ７ａのカウント値をリセットする。
【００４０】
ＨＥＣ誤り発生数カウンタ７ａは、上記の出力を受けて所定数の主信号中に含まれるＨＥＣ誤り検出数をカウントアップし、故障判定部６ｂに出力する。
【００４１】
故障判定部６ｂは、ＨＥＣ誤り発生数カウンタ７ａの値がしきい値ｍ以上になった場合に故障と判定し故障通知を発出する。また、しきい値ｍ以上にならなかった場合には、ＨＥＣ誤り発生数カウンタ７ａはリセットされ、故障判定部６ｂからは故障通知が発出されない。
【００４２】
本実施の形態では、従来のＨＥＣ誤り検出部３はそのまま使用し、新たにセル数検出手段１１であるセル数カウンタ８ａを設けて自己監視装置としているため、複雑な回路構成にならない。
【００４３】
また、新たにセル数カウンタ８ａと設けたことによって、空きセルを含めた全体の通過セルの所定数中にしめるＨＥＣ誤りの発生率によって故障の判定を行うことができ、ＨＥＣ誤りが連続で検出されにくい発生頻度の低い故障を有効にカウントできるようになり、主信号処理回路１の故障の検出精度が向上する。
【００４４】
［実施の形態３］
図３は、本発明の実施の形態３にかかる通信装置内の主信号処理回路１の自己監視装置を示す図である。
【００４５】
図３を参照して、本発明の実施の形態３の構成について説明する。
【００４６】
通信装置内の自己監視部２は、実施の形態２の自己監視部２の内部にさらに空きセル検出部５を備えた構成である。
【００４７】
主信号処理回路１の出力を受ける空きセル検出部５の出力は、ＨＥＣ誤り発生数カウンタ７ｂおよびセル数カウンタ８ｂに与えられ、ＨＥＣ誤り発生数カウンタ７ｂおよびセル数カウンタ８ｂは空きセルをカウント対象外とする。
【００４８】
その他の構成は実施の形態２と同様のため、説明を省略する。
【００４９】
次に、主信号処理回路１が正常な場合の動作について説明する。
【００５０】
主信号処理回路１が正常な場合、主信号処理回路１から出力された主信号セルはＨＥＣ誤り検出部３でＨＥＣ誤りが検出されないため、ＨＥＣ誤り発生数カウンタ７ｂもカウントアップされず、故障判定部６ｂからは故障通知は発出されない。
【００５１】
次に、主信号処理回路１が故障している場合の動作について説明する。
【００５２】
主信号処理回路１が故障している場合、主信号処理回路１から出力された主信号セルはＨＥＣ誤り検出部３でＨＥＣ誤りが検出され、ＨＥＣ誤り発生数カウンタ７ｂに出力される。また、セル数カウンタ８ｂでは自己監視部２を通過するセル数から空きセルをカウント対象外として通過セル数をカウントし、ｋ回（所定数）カウントする毎にＨＥＣ誤り発生数カウンタ７ｂのカウント値をリセットする。
【００５３】
ＨＥＣ誤り発生数カウンタ７ｂは、ＨＥＣ誤り検出部３およびセル数カウンタ８ｂおよび空きセル検出部５の出力を受けて、空きセルをカウント対象外として所定数の主信号セル中に含まれるＨＥＣ誤り検出数をカウントアップし、故障判定部６ｂに出力する。
【００５４】
故障判定部６ｂは、ＨＥＣ誤り発生数カウンタ７ｂの値がしきい値ｍ以上になった場合に故障と判定し故障通知を発出する。また、しきい値ｍ以上にならなかった場合には、ＨＥＣ誤り発生数カウンタ７ｂはリセットされ、故障判定部６ｂからは故障通知が発出されない。
【００５５】
本実施の形態では、空きセルを対象外とした通過セル数中にしめるＨＥＣ誤りの発生率によって故障の判定を行うことで、より低レートの通信状態で、かつ、ＨＥＣ誤りが連続で検出されにくい発生頻度の低い故障や性能劣化であっても、データ変化点の少ない空きセルの影響を受けないため、故障の検出精度がさらに向上する。
【００５６】
［実施の形態４］
実施の形態１，２，および３は、主に固定長セルを用いた方式を対象として説明しているが、例えばＩＰ（イーサネット（登録商標））系通信装置のように可変長パケットを用いた方式の通信装置であっても、その装置内部において可変長パケットを固定長セルに変換し、さらに未使用の帯域に固定パターンを挿入する方式であれば、その区間において、実施の形態１，２，および３と同じ効果を得ることができる。
【図面の簡単な説明】
【００５７】
【図１】本発明の実施の形態１にかかる通信装置内の主信号処理回路の自己監視装置を示す図である。
【図２】本発明の実施の形態２にかかる通信装置内の主信号処理回路の自己監視装置を示す図である。
【図３】本発明の実施の形態３にかかる通信装置内の主信号処理回路の自己監視装置を示す図である。
【符号の説明】
【００５８】
１  主信号処理回路、２  自己監視部、３  ＨＥＣ誤り検出部、４  ＨＥＣ誤り連続発生数カウンタ、５  空きセル検出部、６ａ，６ｂ  故障判定部、７ａ，７ｂ  ＨＥＣ誤り発生数カウンタ、８ａ，８ｂ  セル数カウンタ、１０  第１の故障判定手段、１１  セル数検出手段、１２  第２の故障判定手段。
【図１】
2008109249.tif 000003
【図２】
2008109249.tif 000004
【図３】
2008109249.tif 000005